(57)【要約】【課題】  フィルターの目に付着している塵埃を掻き出すと共に、弾き飛ばすことが可能なフィルター清掃装置を提供する。【解決手段】  フィルター清掃装置１０は、清掃装置本体２と、通風から塵埃を捕集可能な略円弧状のフィルター体１を有している。また、回動軸３ａと、ブレード３ｂと、このブレード３ｂを回動させる基台３ｃとを備え、フィルター体１に沿って往復回動し、往路においてフィルター体１に付着した塵埃を除去する清掃体３を有しており、清掃体３の回動軸３ａから清掃体の先端３ｄまでの長さは、回動軸３ａからフィルター体１までの半径方向の距離よりも長く、基台３ｃの先端には、往路における清掃体１の進行方向に対してブレード３ｂの後方側に当接する支持部３ｅが形成されており、ブレード３ｂは、後方に屈曲又は湾曲状態でフィルター体１に当接している。【選択図】図３
2018069023.tif 000002
【特許請求の範囲】
【請求項１】
フィルター清掃装置は、
清掃装置本体と、
通風から塵埃を捕集可能な略円弧状のフィルター体と、
回動軸と、ブレードと、該ブレードを回動させる基台とを備え、フィルター体に沿って往復回動し、往路において前記フィルター体に付着した塵埃を除去する清掃体と、を有し、
前記清掃体の回動軸から前記清掃体の先端までの長さは、前記回動軸から前記フィルター体までの半径方向の距離よりも長く、
前記基台の先端には、往路における清掃体の進行方向に対して前記ブレードの後方側に当接する支持部が形成されており、
前記ブレードは、後方に屈曲又は湾曲状態で前記フィルター体に当接し、往路において前記フィルター体から離れ、前記屈曲又は湾曲状態が解放されることを特徴とするフィルター清掃装置。
【請求項２】
清掃装置本体は、ブレードがフィルター体に摺接していない清掃体の初期位置において、前記ブレードを収容する凹部を備えていることを特徴とする請求項１に記載のフィルター清掃装置。
【請求項３】
清掃装置本体は、
塵埃を排出するための塵埃排出口を備えていることを特徴とする請求項１又は２に記載のフィルター清掃装置。
【請求項４】
清掃装置本体は、
清掃体と連結し、該清掃体を可動させるための可動手段を備え、該可動手段は、フィルター清掃装置の外側面に設置されていることを特徴とする請求項１〜３のいずれか１項に記載のフィルター清掃装置。
【請求項５】
可動手段は、清掃体の回動軸に対して直交する方向に往復動が可能な操作レバーと、該操作レバーから伝達される直線運動を回転運動に変換させる運動変換手段とを備えていることを特徴とする請求項４に記載のフィルター清掃装置。
【請求項６】
槽体内に回転自在に配置され衣類などを収容する回転ドラム内に、送風手段及び加熱手段により発生した温風を、循環ダクトを経て循環供給して衣類などを乾燥可能とするとともに、前記循環ダクトの前記槽体からの排気側に請求項１〜５のいずれか１項に記載のフィルター清掃装置を備えたことを特徴とする乾燥機。
【発明の詳細な説明】
【技術分野】
【０００１】
本発明は、フィルターに付着した塵埃を除去するためのフィルター清掃装置と、このフィルター清掃装置を備えた乾燥機に関するものである。
【背景技術】
【０００２】
従来から、塵埃を捕集するフィルターが設置され、このフィルターに付着した塵埃を除去するためのフィルター清掃装置が知られている（特許文献１）。
【０００３】
特許文献１のフィルター清掃装置は、内面の一部に第１開口が形成され、吸気口から吸引されて流入する含塵空気を塵埃と清浄空気に分離し、清浄空気を塵埃分離フィルターで覆われた第２開口から排出する塵埃分離部と、第１開口に連通し、内側に塵埃を蓄積する集塵部と、塵埃分離部の内側に設けられ、回転動作によって、塵埃分離フィルターに付着する塵埃を除去するとともに、除去した塵埃を集塵部に第１開口を介して移動させる除塵体とを備えている（特許文献１の図４３参照）。
【先行技術文献】
【特許文献】
【０００４】
【特許文献１】特開２０１５−８７５５号公報
【発明の概要】
【発明が解決しようとする課題】
【０００５】
しかしながら、上記特許文献１に記載のフィルター清掃装置の除塵体は、除塵体の先端が塵埃分離フィルターに摺接するようにして回転する構造となっていることから、フィルターの上面に堆積している塵埃を集塵部へ移送するものではあっても、フィルターの目に付着している塵埃を掻き出すと共に、弾き飛ばす効果は乏しいものであった。
【０００６】
本発明は、前記従来の課題を解決するものであり、フィルターの目に付着している塵埃を掻き出すと共に、弾き飛ばすことが可能なフィルター清掃装置と、このフィルター清掃装置を備えた乾燥機を提供することを目的とする。
【課題を解決するための手段】
【０００７】
前記従来の課題を解決するために、請求項１のフィルター清掃装置の発明は、フィルター清掃装置は、清掃装置本体と、通風から塵埃を捕集可能な略円弧状のフィルター体と、回動軸と、ブレードと、該ブレードを回動させる基台とを備え、フィルター体に沿って往復回動し、往路において前記フィルター体に付着した塵埃を除去する清掃体と、を有し、前記清掃体の回動軸から前記清掃体の先端までの長さは、前記回動軸から前記フィルター体までの半径方向の距離よりも長く、前記基台の先端には、往路における清掃体の進行方向に対して前記ブレードの後方側に当接する支持部が形成されており、前記ブレードは、後方に屈曲又は湾曲状態で前記フィルター体に当接し、往路において前記フィルター体から離れ、前記屈曲又は湾曲状態が解放されることを特徴としている。
【０００８】
請求項１の発明では、清掃体の回動軸から清掃体の先端までの長さを、回動軸からフィルター体までの半径方向の距離よりも長くしたことにより、ブレードは、後方に屈曲又は湾曲状態でフィルター体に当接することとなるので、ブレードの復元力によって、塵埃を弾き飛ばすことができると共にブレードの先端に塵埃が残ることを抑制できる。また、ブレードの後方側に当接する支持部が形成されているので、ブレードがフィルター体に付着した塵埃を掻き取る効果と、ブレードを後方に大きな角度で屈曲又は湾曲させて塵埃を弾き飛ばす効果を高めることができる。
【０００９】
請求項２のフィルター清掃装置の発明は、請求項１の発明において、清掃装置本体は、ブレードがフィルター体に摺接していない清掃体の初期位置において、前記ブレードを収容する凹部を備えていることを特徴としている。したがって、復路において撓んだ状態のブレードが凹部に位置することによって、撓みが無くなり、元の状態へと戻すことができるため、ブレードとフィルターに加わる負荷を軽減でき、耐久性が向上する。
【００１０】
請求項３のフィルター清掃装置の発明は、請求項１又は２の発明において、清掃装置本体は、塵埃を排出するための塵埃排出口を備えていることを特徴としている。したがって、清掃装置本体から外部へ塵埃を排出することができる。
【００１１】
請求項４のフィルター清掃装置の発明は、請求項１〜３のいずれかの発明において、清掃装置本体は、清掃体と連結し、該清掃体を可動させるための可動手段を備え、該可動手段は、フィルター清掃装置の外側面に設置されていることを特徴としている。したがって、可動手段を使用して手動でフィルター体に付着した塵埃を除去することができる。
【００１２】
請求項５のフィルター清掃装置の発明は、請求項４の発明において、可動手段は、清掃体の回動軸に対して直交する方向に往復動が可能な操作レバーと、該操作レバーから伝達される直線運動を回転運動に変換させる運動変換手段とを備えていることを特徴としている。したがって、清掃体の回動軸と同軸状に可動手段を設けた場合と比較してフィルター清掃装置を小型化することができる。
【００１３】
請求項６の乾燥機の発明は、槽体内に回転自在に配置され衣類などを収容する回転ドラム内に、送風手段及び加熱手段により発生した温風を、循環ダクトを経て循環供給して衣類などを乾燥可能とするとともに、前記循環ダクトの前記槽体からの排気側に請求項１〜５のいずれかのフィルター清掃装置を備えたことを特徴としている。したがって、ブレードの復元力によって、塵埃を弾き飛ばすことができ、ブレードがフィルター体に付着した塵埃を掻き取る効果を高めることができ、手動でフィルター体に付着した塵埃を除去することができ、フィルター清掃装置を小型化することができる乾燥機を提供することができる。
【発明の効果】
【００１４】
請求項１のフィルター清掃装置の発明は、ブレードの復元力によって、塵埃を弾き飛ばすことができ、ブレードがフィルター体に付着した塵埃を掻き取る効果を高めることができると共にブレードの先端に塵埃が残ることを抑制できる。請求項２の発明は、復路において撓んだ状態のブレードが凹部に位置することによって、撓みが無くなり、元の状態へと戻すことができる。請求項３の発明は、清掃装置本体から外部へ塵埃を排出することができる。請求項４の発明は、可動手段を使用して手動でフィルター体に付着した塵埃を除去することができる。請求項５の発明は、フィルター清掃装置を小型化することができる。
【００１５】
また、請求項６の乾燥機の発明は、ブレードの復元力によって、塵埃を弾き飛ばすことができ、ブレードがフィルター体に付着した塵埃を掻き取る効果を高めることができ、手動でフィルター体に付着した塵埃を除去することができ、フィルター清掃装置を小型化することができる乾燥機を提供することができる。
【図面の簡単な説明】
【００１６】
【図１】本発明に係る衣類乾燥機を示す斜視図
【図２】本発明に係る衣類乾燥機の内部構成を示す断面図
【図３】（ａ）本発明に係るフィルター清掃装置の外観を示す斜視図（ｂ）本発明に係るフィルター清掃装置の内部構造を示す斜視図
【図４】（ａ）〜（ｃ）本発明に係るフィルター清掃装置を構成する可動手段の動作を示す説明図
【図５】本発明に係るフィルター清掃装置の清掃動作を示す説明図
【図６】本発明に係るフィルター清掃装置の清掃動作を示す説明図
【図７】（ａ）〜（ｃ）清掃体が塵埃を弾き飛ばす動作を示す説明図
【図８】（ａ）及び（ｂ）凹部の他の実施形態を示す説明図
【図９】清掃体の他の実施形態を示す説明図
【発明を実施するための形態】
【００１７】
以下、本発明の実施形態について、図面を参照しながら説明する。なお、この実施の形態によって本発明が限定されるものではない。
【００１８】
図１は、本発明に係る衣類乾燥機を示す斜視図であり、図２は、同衣類乾燥機の内部構造を示す断面図である。これらの図を用いて本発明に係る衣類乾燥機について説明する。本発明に係る衣類乾燥機２０は、前面にドア２０ａを備え、槽体２０ｄ内に回転自在に配置され衣類などを収容する回転ドラム２０ｂ内に、送風手段（ファン）２３及び加熱手段２２により発生した温風を、循環ダクト２１ａ、２１ｂ、２１ｃを経て循環供給して衣類を乾燥可能とするとともに、循環ダクト２１ａ、２１ｂ、２１ｃの槽体２０ｄからの排気側にフィルター清掃装置１０が設置されている。
【００１９】
符号２０ｃは、回転ドラム２０ｂを回転させるモータであり、このモータ２０ｃは、乾燥処理、洗濯処理、すすぎ処理や脱水処理といった様々な処理の間、回転ドラム２０ｂを回転させる。また、加熱手段２２には、一例として、熱交換器を使用することができる。尚、熱交換器の方式として、ヒートポンプ式やヒーター式等、様々な方式を採用することができる。また、衣類乾燥機２０は、ドラム式としているが、これに限定するものではなく、例えば縦型など様々の方式を採用することができる。
【００２０】
図３（ａ）は、本発明に係るフィルター清掃装置の外観を示す斜視図であり、図３（ｂ）は、本発明に係るフィルター清掃装置の内部構造を示す斜視図である。図３を用いて本発明に係るフィルター清掃装置の実施形態を以下に説明する。
【００２１】
フィルター清掃装置１０は、清掃装置本体２と、通風から塵埃を捕集可能な一部が略円弧状のフィルター体１を有している。また、回動軸３ａと、ブレード３ｂと、このブレード３ｂを回動させる基台３ｃとを備え、フィルター体１に沿って往復回動し、往路においてフィルター体１に付着した塵埃を除去する清掃体３を有している。フィルター体１は、図３（ｂ）において、回動軸３ａの直下より右側は略円弧状に、回動軸３ａの直下より左側は直線状に形成されている。
【００２２】
そして、清掃体３の回動軸３ａから清掃体の先端３ｄまでの長さは、回動軸３ａからフィルター体１までの半径方向の距離よりも長く、基台３ｃの先端には、往路における清掃体１の進行方向に対してブレード３ｂの後方側に当接する支持部３ｅが形成されており、ブレード３ｂは、後方に屈曲又は湾曲状態でフィルター体１に当接する。また、ブレード３ｂの材質としてエラストマーを使用しているが、これに限定されるものではなく、ゴム、軟質樹脂、発泡樹脂、不織布、などでもよく、またこれらの複合材でもよい。
【００２３】
また、フィルター体１は一部が直線状に形成されているため、ブレード３ｂは、往路の終端近傍においてフィルター体１から離れることによって、屈曲又は湾曲状態が解放される（初期状態に戻る）構成としている。このように構成されたフィルター清掃装置１０は、清掃体３の回動軸３ａから清掃体の先端３ｄまでの長さを、回動軸３ａからフィルター体１までの半径方向の距離よりも長くしたことにより、ブレード３ｂは、後方に屈曲又は湾曲状態でフィルター体１に当接することとなるので、往路の終端近傍でブレード３ｂの復元力によって、塵埃を弾き飛ばすことができると共にブレードの先端に塵埃が残ることを抑制できる。また、ブレード３ｂの後方側に当接する支持部３ｅが形成されているので、ブレード３ｂがフィルター体１に付着した塵埃を掻き取る効果を高めることができる。なお、本実施の形態では、ブレード３ｂがフィルター体１から離れながら屈曲又は湾曲状態が解放される構成としているが、フィルター体１を略円弧状の部分のみで形成し、ブレード３ｂがフィルター体１を通り過ぎてから屈曲又は湾曲状態が解放される構成としてもよい。具体的には、図３（ｂ）において、清掃体３の回動軸３ａの直下から左側を、フィルター清掃装置１０を構成する樹脂材料の壁体で形成してもよい。このように構成すると、ブレード３ｂは略円弧状のフィルター体１を清掃して通り過ぎた後に壁体の内面まで到達し、壁体から離れながら屈曲又は湾曲状態が解放される。この場合、フィルター体１に付着した塵埃の取り残しがないとともに、ブレード３ｂの摩擦抵抗は、フィルター体１との摩擦より、樹脂材料で形成された壁体との摩擦の方が低減されるので、ブレード３ｂがスムーズに復元され、より勢い良く塵埃を弾き飛ばすことができる。
【００２４】
また、図３（ｂ）において清掃装置本体２は、ブレード３ｂがフィルター体１に摺接していない清掃体３の初期位置において、ブレード３ｂを収容する凹部４を備えている。これにより、復路において撓んだ状態のブレード３ｂが凹部４に位置することによって、撓みが無くなり、元の状態へと戻すことができる。もし、凹部４を形成しないと、復路から往路へと切替える時に、ブレード３ｂが復路における進行方向の後方側に屈曲した状態から、前方側に屈曲した状態にする必要がある。そのため、使用者が操作レバー７ａを押す時に大きな力が必要となると共に、ブレード３ｂとフィルター体１に大きな負荷が掛かってしまう。そこで、初期位置において凹部４を形成することで、復路から往路への切替えを軽い力で行うことができると共に、ブレード３ｂとフィルター体１の耐久性が向上する。
【００２５】
また、清掃装置本体２は、塵埃を排出するための塵埃排出口５を備えている。この塵埃排出口５は、フィルター体１に捕集された塵埃の外部への排出を防ぐと共に、開閉可動する塵埃排出抑制体６が設置されている。この塵埃排出抑制体６は、塵埃の外部への排出を防ぐために、格子状に設置された長板６ａ、６ｂを備えている。これにより、使用者がフィルター清掃装置１０を衣類乾燥機２０から取り外し、ゴミ箱等の所定の廃棄場所まで運ぶ際に塵埃がこぼれ落ちることを抑制することができる。
【００２６】
また、清掃装置本体２は、清掃体３と連結し、清掃体３を可動させるための可動手段７を備えており、この可動手段７は、フィルター清掃装置１０の外側面２ａに設置されている。
【００２７】
次に、図４（ａ）〜（ｃ）を用いて、本発明に係るフィルター清掃装置１０を構成する可動手段７の動作を説明する。可動手段７は、前述したように、フィルター清掃装置１０の外側面２ａに設置されているものであって、清掃体３の回動軸３ａに対して直交する方向に往復動が可能な操作レバー７ａと、この操作レバー７ａから伝達される直線運動を回転運動に変換させる運動変換手段７ｂとを備えている。
【００２８】
具体的には、操作レバー７ａは、ラックギアから構成され、運動変換手段７ｂは、平歯車から構成されている。そして、平歯車に伝達された動力は回動軸３ａを通じて清掃体３を回動させる。そして、図４（ａ）に示した初期状態から、操作レバー７ａを図面上左方向に押すと、操作レバー７ａの先端と接触している塵埃排出抑制体６の押圧部６ｃが図面上左方向に押され、塵埃排出抑制体６の一方の端部が連結している回動軸８回りに回転して図４（ｂ）に示す状態となる。
【００２９】
そして、図４（ｂ）に示す状態から、塵埃排出抑制体６を図面上時計回りに回転させることによって、図４（ｃ）に示す押圧部６ｃが操作レバー７ａの先端と接触する状態となり、更に押圧部６ｃが操作レバー７ａを押すことによって図４（ａ）に示す初期状態へと復帰する。
【００３０】
図５は、往路におけるフィルター清掃装置の清掃動作を示している。往路における初期位置では、清掃体３のブレード３ｂは、凹部４に収容されている。そして、清掃体３を図面上、時計回りに回転させることによって、ブレード３ｂは、凹部４から移動してフィルター体１に当接することとなる。なお、ブレード３ｂが凹部４に収容されている時、可動手段７は図４（ａ）の状態であり、操作レバー７ａを図面上左側に押し込むにつれて清掃体３が回動してフィルター体１を清掃する。
【００３１】
フィルター体１に当接している状態のブレード３ｂは、進行方向に対して後方側に屈曲又は湾曲した状態となっている。そして、往路の終端近傍においてフィルター体１から離れることによって、ブレード３ｂは、屈曲又は湾曲状態から解放されると共に、塵埃９は、塵埃排出口５から外部へと弾き出されることとなる。この時、可動手段７は図４（ｂ）の状態であり、塵埃排出抑制体６は開いている。このように構成することで、使用者はゴミ箱等の所定の廃棄場所において塵埃を捨てる際に、ブレード３ｂの復元力によって、塵埃を弾き飛ばすので確実に廃棄場所まで移送する事ができる。
【００３２】
図６は、復路におけるフィルター清掃装置の清掃動作を示しており、この時、可動手段７は図４（ｃ）の状態から図４（ａ）に示す初期状態へと復帰している。復路において清掃体３は、ブレード３ｂが屈曲又は湾曲状態から解放された状態から、フィルター体１に当接することによって、進行方向に対して後方側にブレード３ｂの根元近傍を支点として緩やかに屈曲又は湾曲した状態となる。これは、清掃体３が進行方向に対してブレード３ｂの前方側に当接する支持部３ｅを備えているが、後方側には支持部３ｅが形成されていないからである。ブレード３ｂは一方の端部が基台３ｃに固定されているが、支持部３ｅには固定されていない。また、復路における進行方向に対してブレード３ｂの後方側には、支持部３ｅが形成されていない。したがって、フィルター体１に当接した状態のブレード３ｂは、往路と復路とでは屈曲方向と屈曲の支点及び角度が異なるようになるのである。そのため、往路では支持部３ｅの先端を支点にブレード３ｂが略Ｌ字状に大きな角度で屈曲又は湾曲するので、フィルター体１へのブレード３ｂの当たりが強くなる。したがって、除塵効率が向上すると共に、往路の終端近傍で塵埃９を弾き飛ばす力を強くすることができる。
【００３３】
図７は、清掃体が塵埃を弾き飛ばす動作を示す説明図である。図７（ａ）に示すように、ブレード３ｂがフィルター体１の目から塵埃９を掻き出すと共に、図７（ｂ）に示すように、リント状の塊となった塵埃９を、清掃体３の進行方向前方へ押し出していく。そして、図７（ｃ）に示すように、往路の終端近傍においてフィルター体１から離れることによって、ブレード３ｂは、屈曲又は湾曲状態から解放されると共に、塵埃９は、塵埃排出口５から外部へと弾き出される。
【００３４】
図８は、凹部の他の実施形態を示す説明図である。図８（ａ）では、段差を設けずに、ゆるやかな曲面状となるように凹部４ａが形成されている。また、図８（ｂ）では、凹部４ｂが浅く形成されており、ブレード３ｂと当接した状態となっている。この状態のブレード３ｂは、フィルター体１に当接した状態と比較して屈曲又は湾曲状態が軽減されており、復路から往路への切り換え時に、ブレード３ｂに加わる抵抗を軽減させることができる。
【００３５】
図９は、清掃体の他の実施形態を示す説明図である。図９に示す清掃体３Ａは、回動軸１１ａに基台１１ｃが固定されていると共に、ブレード１１ｂの一方の端部が基台１１ｃに固定されている。そして、基台１１ｃから延長する支持部１１ｅがブレード１１ｂの先端１１ｄ近傍を除く大部分の一方の側面に当接している。このように清掃体３Ａを構成することによって、往路の終端近傍においてフィルター体１からブレード１１ｂが離れることによって、ブレード１１ｂが支持部１１ｅからも離れて進行方向前方に大きく湾曲することとなるので、塵埃を弾き飛ばす効果を高めることができる。また、復路において、ブレード１１ｂが回動軸１１ａ近傍から進行方向に対して後方側に、ブレード１１ｂの根元近傍を支点として緩やかに屈曲又は湾曲した状態となる。そのため、ブレード１１ｂがフィルター体１を押し付ける力が軽減されるため、軽い力で清掃体３Ａを初期位置に戻すことができると共に、清掃体３Ａとフィルター体１の摩耗を抑制することができる。
【産業上の利用可能性】
【００３６】
本発明に係るフィルター清掃装置は、フィルターに付着した塵埃を除去するために利用されるものである。また、本発明に係る乾燥機は、フィルター清掃装置を備えた乾燥機として利用される。
【符号の説明】
【００３７】
１  フィルター体
２  清掃装置本体
２ａ  外側面
３、３Ａ  清掃体
３ａ、１１ａ  回動軸
３ｂ、１１ｂ  ブレード
３ｃ、１１ｃ  基台
３ｄ、１１ｄ  清掃体の先端
３ｅ、１１ｅ  支持部
４、４ａ、４ｂ  凹部
５  塵埃排出口
６  塵埃排出抑制体
６ａ、６ｂ  長板
６ｃ  押圧部
７  可動手段
７ａ  操作レバー
７ｂ  運動変換手段
８  回動軸
９  塵埃
１０  フィルター清掃装置
２０  衣類乾燥機
２０ａ  ドア
２０ｂ  回転ドラム
２０ｃ  モータ
２０ｄ  槽体
２１ａ、２１ｂ、２１ｃ  循環ダクト
２２  加熱手段
２３  送風手段（ファン）
【図１】
2018069023.tif 000003
【図２】
2018069023.tif 000004
【図３】
2018069023.tif 000005
【図４】
2018069023.tif 000006
【図５】
2018069023.tif 000007
【図６】
2018069023.tif 000008
【図７】
2018069023.tif 000009
【図８】
2018069023.tif 000010
【図９】
2018069023.tif 000011